(57)【特許請求の範囲】
【請求項１】
構造物の開口部を構成する窓枠のうちの上枠及び下枠と、窓の外周縁部に取り付けられ前記上枠及び前記下枠に取り付けられた外周枠体のうちの召合せ部と、の間の隙間を封止する風止め部材であって、
前記風止め部材の前記召合せ部と対向する側の面に、直に熱膨張性樹脂組成物層が形成されていると共に、複数の薄板状のヒレ部が形成されている、
風止め部材。
【請求項２】
前記熱膨張性樹脂組成物層が、熱可塑性樹脂と、熱膨張性黒鉛と、無機充填材と、を含む樹脂組成物を成型させてなる、
請求項１に記載の風止め部材。
【請求項３】
請求項１又は請求項２に記載の風止め部材が用いられている、
建具枠体。
【発明の詳細な説明】
【技術分野】
【０００１】
本発明は、例えば建築物などの構造物の開口部に設置される窓、扉などの建具の枠体を構成する建具枠体用の部品及び建具枠体に関する。
【背景技術】
【０００２】
住宅などの建築物の開口部に使用する窓、障子、扉、戸、ふすま及び欄間などの建具に要求される性能の一つに防火性能があり、防火性能を高めるために防火構造が施されている。例えば、建築物の開口部に設置される窓の外周枠体には、火災時の火炎や熱が貫通しないように、熱膨張性耐火材が装着されており、特許文献１では、外周枠体の内部の複数の中空部に、シート状の熱膨張性耐火材が粘着テープなどで貼り付けられた金属製の補強材が挿入されている。
【先行技術文献】
【特許文献】
【０００３】
【特許文献１】特許第４６９１３２４号公報
【発明の概要】
【発明が解決しようとする課題】
【０００４】
しかし、窓を取り付けるために構造物の開口部に固定される窓枠と外周枠体との間には、隙間があり、その隙間から火災時の火炎や熱が火災発生場所から漏洩するおそれがある。また、この隙間を埋めるために、窓枠や外周枠体を構成する部品にシート状の熱膨張性耐火材を貼り付けるのでは、コスト及び手間が掛かる。
【０００５】
本発明は、上記課題に着目してなされたもので、防火性能の向上を図ることができるうえ、コスト及び手間の低減が可能な建具枠体用の部品及び建具枠体を提供することを目的とする。
【課題を解決するための手段】
【０００６】
本発明の上記目的は、構造物の開口部に設置される建具の枠体を構成する建具枠体用の部品であって、少なくとも一部に直に熱膨張性樹脂組成物層が形成されている、建具枠体用の部品によって達成される。
【０００７】
上記構成の建具枠体用の部品は、窓の建具枠体を構成するものであり、窓の外周縁部に取り付けられる外周枠体の召合せ部と、前記外周枠体を前記開口部に取り付けるための窓枠の上枠及び下枠との間の隙間を封止する風止め部材とすることができ、この場合、前記風止め部材の前記外周枠体の召合せ部と対向する側の面に前記熱膨張性樹脂組成物層が形成されていることが好ましい。
【０００８】
また、上記構成の建具枠体用の部品は、窓の建具枠体を構成するものであり、窓の外周縁部に取り付けられる外周枠体の召合せ框に取り付けられるクレセントとすることができ、この場合、前記クレセントの表面の一部及び／又は前記クレセントを構成する摘み部の内面に前記熱膨張性樹脂組成物層が形成されていることが好ましい。
【０００９】
また、上記構成の建具枠体用の部品は、窓の建具枠体を構成するものであり、窓の外周縁部に取り付けられる外周枠体の下框に取り付けられる戸車とすることができ、この場合、前記戸車の側面に前記熱膨張性樹脂組成物層が形成されていることが好ましい。
【００１０】
また、上記構成の建具枠体用の部品は、窓の建具枠体を構成するものであり、窓の外周縁部に取り付けられる外周枠体の上框、下框及び戸先框の少なくともいずれかに取り付けられる振れ止め部材とすることができ、この場合、前記振れ止め部材の側周面に前記熱膨張性樹脂組成物層が形成されていることが好ましい。
【００１１】
また、上記構成の建具枠体用の部品は、窓の建具枠体を構成するものであり、窓の外周縁部に取り付けられる外周枠体を前記開口部に取り付けるための窓枠の下枠に形成された水抜き穴に嵌め込まれる水抜き部材とすることができ、この場合、前記水抜き部材の内周面に前記熱膨張性樹脂組成物層が形成されていることが好ましい。
【００１２】
また、上記構成の建具枠体用の部品は、窓の建具枠体を構成するものであり、窓の外周縁部に取り付けられる外周枠体の召合せ框の上端及び/又は下端の開口を塞ぐキャップとすることができ、この場合、前記キャップの前記開口に嵌め込まれる部分の表面に前記熱膨張性樹脂組成物層が形成されていることが好ましい。
【００１３】
また、上記構成の建具枠体用の部品は、窓の建具枠体を構成するものであり、窓の外周縁部に取り付けられる外周枠体を前記開口部に取り付けるための下枠に形成された取付穴に嵌め込まれるサブロック部材とすることができ、この場合、前記サブロック部材の前記取付穴の内周面と対向する面に前記熱膨張性樹脂組成物層が形成されていることが好ましい。
【００１４】
また、上記構成のいずれのサッシ部品においても、前記熱膨張性樹脂組成物層を、熱可塑性樹脂と、熱膨張性黒鉛と、無機充填材とを含む樹脂組成物を成型させて形成することもできる。
【００１５】
また、本発明の上記目的は、上記構成のいずれの建具枠体用の部品が用いられている建具枠体によっても達成される。
【発明の効果】
【００１６】
本発明によれば、防火性能を向上できるうえ、コスト及び手間の低減を図ることができる。
【図面の簡単な説明】
【００１７】
【図１】本発明の一実施形態に係る建具枠体用の部品が用いられる引違い窓の正面図である。
【図２】風止め部材の概略構成を示す（ａ）正面図であり、（ｂ）底面図である。
【図３】クレセントの概略構成を示す側面図である。
【図４】戸車の概略構成を示す（ａ）正面図であり、（ｂ）側面図である。
【図５】振れ止め部材の概略構成を示す（ａ）平面図であり、（ｂ）正面図である。
【図６】水抜き部材の概略構成を示す（ａ）斜視図であり、（ｂ）背面図であり、（ｃ）平面図であり、（ｄ）側面図である。
【図７】キャップの概略構成を示す斜視図である。
【図８】サブロック部材の概略構成を示す（ａ）斜視図であり、（ｂ）背面図である。
【図９】引違い窓の斜視図である。
【図１０】引違い窓の斜視図である。
【発明を実施するための形態】
【００１８】
以下、本発明の実施形態について添付図面を参照して説明する。本発明の建具枠体用の部品は、例えば、一戸建住宅、集合住宅、高層住宅、高層ビル、商業施設、公共施設などの建築物、客船、輸送船、連絡船などの船舶などの構造物の開口部に設置される窓、障子、扉、戸、ふすま、欄間等の建具の枠体を構成するものである。なお、建具枠体は、構造物の開口部に固定される窓枠や扉枠の開口枠体の他、窓や扉の外周縁部を補強する外周枠体も建具枠体として含まれる。また、以下の説明では、建具として窓、具体的には引違い窓の例で説明しているが、本発明の建具枠体用の部品及び建具枠体の範囲は引違い窓用に限定されるものではない。
【００１９】
図１は、引違い窓１の正面図を示している。建築物などの構造物の矩形状の開口部には窓枠１０が固定されている。引違い窓は、外周枠体２が固定された２つの窓２０が窓枠１０にスライド可能に取り付けられ、左右の外周枠体２のそれぞれ中央側の召合せ框２３，２３が前後に重なって召合せ部となっている。
【００２０】
窓枠１０は、平面視矩形状であり、上枠１１と、下枠１２と、左右の縦枠１３，１４とにより構成され、各枠１１〜１４に囲まれた内部が開口部となっている。窓枠１０の材質は、ポリ塩化ビニルなどの塩素含有樹脂、ポリエチレン・ポリプロピレンなどのポリオレフィン樹脂、ポリエチレンテレフタレート・ポリブチレンテレフタレートなどのポリエステル樹脂などの合成樹脂製の他、アルミニウム、ステンレス、鋼、合金などの金属製、アルミニウム及び合成樹脂の複合製などを挙げることができ、その材質は限定されるものではない。
【００２１】
窓枠１０の各枠１１〜１４は、長手方向に延びる長尺状であり、内部に空洞を有している。また、窓枠１０の各枠１１〜１４は、外周枠体２付きの窓２０が突き当たる本体部の両端から一対の側壁部が突き出るコ字形状であり、本体部の幅は、２つの外周枠体２付きの窓２０を並列配置できる大きさに形成されている。なお、窓枠１０の構成は、特に限定されるものではなく、周知のいずれの形態であってもよい。
【００２２】
外周枠体２は、平面視矩形状であり、上框２１と、下框２２と、召合せ框２３と、戸先框２４とにより構成されている。召合せ框２３は、図１の２つの外周枠体２のそれぞれ左右の縦框のうち、各外周枠体２の互いに重なる側の縦框であり、左側の外周枠体２では右側の縦框が召合せ框２３となり、右側の外周枠体２では左側の縦框が召合せ框２３となる。また、戸先框２４は、図１の２つの外周枠体２のそれぞれ左右の縦框のうち、窓枠１０の左右の縦枠１３，１４に突き当たる側の縦框であり、左側の外周枠体２では左側の縦框が戸先框２４となり、右側の外周枠体２では右側の縦框が戸先框２４となる。
【００２３】
各框２１〜２４は、長手方向に延びる長尺状であり、内部に長手方向に延びる空洞（図示せず）を有している。また、各框２１，２２，２４の窓枠１０の各枠１１〜１４と対向する端面には、長手方向に延びる凹溝（図示せず）が形成されている。
【００２４】
外周枠体２の材質は、ポリ塩化ビニルなどの塩素含有樹脂、ポリエチレン・ポリプロピレンなどのポリオレフィン樹脂、ポリエチレンテレフタレート・ポリブチレンテレフタレートなどのポリエステル樹脂などの合成樹脂製の他、アルミニウム、ステンレス、鋼、合金などの金属製、アルミニウム及び合成樹脂の複合製などを挙げることができ、その材質が限定されるものではない。
【００２５】
各框２１〜２４に窓２０が、例えばゴムシール材やシーリング材（図示せず）等で固定されている。なお、外周枠体２の構成は、特に限定されるものではなく、周知のいずれの形態であってもよい。
【００２６】
外周枠体２の各框２１〜２４には、引違い窓１に操作性や気密性、安全性、排水性などの機能性を付与する複数の構成部品が設けられている。例えば、外周枠体２の召合せ部と窓枠１０の上枠１１及び下枠１２との間（図１で（１）で示す領域）には風止め部材３が設けられている。また、外周枠体２の召合せ框２３（図１で（２）で示す領域）にはクレセント４が取り付けられている。また、外周枠体２の下框２２内の空洞（図１で（３）で示す領域）には戸車５が取り付けられている。また、外周枠体２の戸先框２４の凹溝（図１で（４）で示す領域）には振れ止め部材６が取り付けられている。また、窓枠１０の下枠１２に形成された水抜き穴（図１で（５）で示す領域、図示せず）には水抜き部材７が嵌め込まれている。また、外周枠体２の召合せ框２３の空洞の出入口となる上端及び/又は下端の開口（図１で（６）で示す領域、図示せず）にはキャップ８が取り付けられている。また、窓枠１０の下枠１２に形成された取付穴（図１で（７）で示す領域、図示せず）にはサブロック部材１５が嵌め込まれている。その他にも、サッシ（窓枠１０及び外周枠体２）の各枠１１〜１４及び各框２１〜２４には、各種の機能性を引違い窓１に付与する構成部品が設けられている。
【００２７】
風止め部材３は、召合せ部から風が進入することを防ぐために、窓枠１０の上枠１１及び下枠１２に例えばネジ等を用いて固定される。なお、風止め部材３は、窓枠１０の上枠１１に嵌合させることで固定されてもよい。風止め部材３は、合成樹脂等の弾性材からなり、図２に示すように、上枠１１及び下枠１２への固定に用いられる平板状のベース部３０と、ベース部３０の外周枠体２の召合せ部と対向する側の面（一方面）から突き出て外周枠体２の召合せ部との間の隙間を封止する複数の薄板状のヒレ部３１とを備えている。
【００２８】
風止め部材３の表面の一部には、直に熱膨張性樹脂組成物層９（図示では把握しやすいようにハッチングで示している。）が形成されている。例えば、ベース部３０の一方面に熱膨張性樹脂組成物層９が形成されている。なお、「直に」とは、ベース部３０の一方面に、粘着テープや粘着剤、接着剤などが用いられることなく、熱膨張性樹脂組成物層９が積層されていることを指す。
【００２９】
熱膨張性組成物層９の寸法及び形状、すなわち長さ、幅、厚みは、特に限定されず、風止め部材３の寸法及び形状に応じて適宜設定される。熱膨張性樹脂組成物層９は、ベース部３０の一方面において、その全部に形成されている必要はなく、一部にだけ形成されていてもよい。なお、熱膨張性樹脂組成物層９は、ベース部３０の他方面（窓枠１０の上枠１１及び下枠１２と対向する側の面）に形成されていてもよいし、風止め部材３のその他の部分の表面に形成されていてもよい。
【００３０】
上述した熱膨張性樹脂組成物層９が積層された風止め部材３が、窓枠１０の上枠１１及び下枠１２と外周枠体２の召合せ部との間に配置されていると、火災時に熱膨張性樹脂組成物層９が熱膨張して、窓枠１０の上枠１１及び下枠１２と外周枠体２の召合せ部との間の隙間を埋めるので、火炎が当該隙間を通って延焼することを防止でき、良好な防火性能を発揮できる。
【００３１】
なお、風止め部材３の構成は、特に限定されるものではなく、周知のいずれの形態であってもよい。
【００３２】
次に、クレセント４は、引違い窓１を施錠するために、一方の外周枠体２の召合せ框２３にネジ等を用いて取り付けられる。他方の外周枠体２の召合せ框２３にはクレセント受け４４が取り付けられる。クレセント４は、例えば金属や合成樹脂等からなり、図３に示すように、召合せ框２３への固定に用いられる本体部４０と、本体部４０に回動可能に取り付けられるベース部４１と、ベース部４１に一体に設けられ回動によりクレセント受け４４に係合する三日月形状のフック部４２と、ベース部４１に一体に設けられフック部４２を回動させる摘み部４３とを備えている。
【００３３】
クレセント４の表面の一部には、直に熱膨張性樹脂組成物層９（図示では把握しやすいようにハッチングで示している。）が形成されている。例えば、クレセント４を構成する本体部４０、ベース部４１、フック部４２及び摘み部４３の他方の外周枠体２側（後ろ側つまりは外側）の面に熱膨張性樹脂組成物層９が形成されている。また、図示は省略するが、摘み部４３の内面（摘み部４３内の空洞を形成する面）に熱膨張性樹脂組成物層９が形成されている。なお、「直に」とは、摘み部４３の内面やクレセント４の後ろ側の面に、同様に、粘着テープや粘着剤、接着剤などが用いられることなく、熱膨張性樹脂組成物層９が積層されていることを指す。
【００３４】
熱膨張性組成物層９の寸法及び形状、すなわち長さ、幅、厚みは、特に限定されず、クレセント４の寸法及び形状に応じて適宜設定される。熱膨張性樹脂組成物層９は、摘み部４３の内面やクレセント４の後ろ側の面において、その全部に形成されている必要はなく、一部にだけ形成されていてもよい。なお、熱膨張性樹脂組成物層９は、本体部４０の内面（本体部４０内の空洞を形成する面）に形成されていてもよし、クレセント４のその他の部分の表面に形成されていてもよい。
【００３５】
上述した熱膨張性樹脂組成物層９が積層されたクレセント４が、外周枠体２の召合せ框２３に配置されていると、火災時に熱膨張性樹脂組成物層９が熱膨張することで、クレセント４が合成樹脂製であるとクレセント４の燃焼を防ぎ、クレセント４が金属製であると温度上昇による変形を防止できるので、外周枠体２の加熱に対して良好な防火性能を発揮できる。
【００３６】
なお、クレセント４の構成は、特に限定されるものではなく、周知のいずれの形態であってもよい。
【００３７】
次に、戸車５は、各外周枠体２付きの窓２０を窓枠１０に対してスムーズにスライドさせるために、各外周枠体２の下框２２内の空洞（図示せず）にネジ等を用いて取り付けられる。戸車５は、例えば合成樹脂等からなり、図４に示すように、下框２２への固定に用いられる下端が開口したケーシング５０と、ケーシング５０の両側面の間に軸５２により回動可能に取り付けられる車輪５１とを備え、車輪５１の一部がケーシング５０の下端から露出している。この車輪５１が窓枠１０の下枠１２のレール（図示せず）上を走行するようになっている。
【００３８】
戸車５の表面の一部には、直に熱膨張性樹脂組成物層９（図示では把握しやすいようにハッチングで示している。）が形成されている。例えば戸車５（ケーシング５０）の２つの側面（図示例では、側面のうち、下框２２の垂直な２つの側面と対向する外側の面）に熱膨張性樹脂組成物層９が形成されている。なお、「直に」とは、戸車５（ケーシング５０）の側面に、同様に、粘着テープや粘着剤、接着剤などが用いられることなく、熱膨張性樹脂組成物層９が積層されていることを指す。
【００３９】
熱膨張性組成物層９の寸法及び形状、すなわち長さ、幅、厚みは、特に限定されず、戸車５の寸法及び形状に応じて適宜設定される。熱膨張性樹脂組成物層９は、戸車５（ケーシング５０）の側面において、その全部に形成されている必要はなく、一部にだけ形成されていてもよい。なお、熱膨張性樹脂組成物層９は、戸車５（ケーシング５０）の２つの側面の車輪５１と対向する内側の面）や戸車５（ケーシング５０）の上面（外側面及び／又は内側面）に形成されていてもよいし、戸車５のその他の部分の表面に形成されていてもよい。
【００４０】
上述した熱膨張性樹脂組成物層９が積層された戸車５が、外周枠体２の下框２２内に配置されていると、火災時に熱膨張性樹脂組成物層９が熱膨張して、下框２２内の空洞を埋めるので、火炎が当該空洞を通って延焼することを防止でき、良好な防火性能を発揮できる。
【００４１】
なお、戸車５の構成は、特に限定されるものではなく、周知のいずれの形態であってもよい。
【００４２】
次に、振れ止め部材６は、各外周枠体２付きの窓２０の前後方向（室内外方向）の振れ（揺動）を抑制するために、各外周枠体２の上框２１、下框２２及び戸先框２４の少なくともいずれかの凹溝内にネジ等を用いて取り付けられる。振れ止め部材６は、例えば合成樹脂等からなり、図５に示すように、各框２１，２２，２４への固定に用いられる本体部６０と、本体部６０に一体に設けられる一対の挟持部６１とを備えおり、一対の挟持部６１で窓枠１０の各枠１１〜１４のレールを挟むようになっている。
【００４３】
振れ止め部材６の表面の一部には、直に熱膨張性樹脂組成物層９（図示では把握しやすいようにハッチングで示している。）が形成されている。例えば振れ止め部材６の側周面（平面視において振れ止め部材６を形作る面）に熱膨張性樹脂組成物層９が形成されている。なお、「直に」とは、振れ止め部材６の側周面に、同様に、粘着テープや粘着剤、接着剤などが用いられることなく、熱膨張性樹脂組成物層９が積層されていることを指す。
【００４４】
熱膨張性組成物層９の寸法及び形状、すなわち長さ、幅、厚みは、特に限定されず、振れ止め部材６の寸法及び形状に応じて適宜設定される。熱膨張性樹脂組成物層９は、振れ止め部材６の側周面において、その全部に形成されている必要はなく、一部にだけ形成されていてもよい。なお、熱膨張性樹脂組成物層９は、振れ止め部材６（本体部６０及び各挟持部６１）の上面及び／又は下面に形成されていてもよいし、振れ止め部材６のその他の部分の表面に形成されていてもよい。
【００４５】
上述した熱膨張性樹脂組成物層９が積層された振れ止め部材６が、外周枠体２の上框２１や下框２２、戸先框２４の凹溝内に配置されていると、火災時に熱膨張性樹脂組成物層９が熱膨張して、各框２１，２２，２４の凹溝を埋めるので、火炎が当該凹溝を通って延焼することを防止でき、良好な防火性能を発揮できる。
【００４６】
なお、振れ止め部材６の構成は、特に限定されるものではなく、周知のいずれの形態であってもよい。
【００４７】
次に、水抜き部材７は、窓枠１０の下枠１２に貯まった雨水や結露水等を排水するために、下枠１２に形成された水抜き穴（図示せず）に嵌め込まれる。水抜き部材７は、例えば合成樹脂等からなり、例えば図６に示すように、開口７２を有する本体部７０と、本体部７０に一体に設けられ水抜き穴（図示せず）に挿入されて下枠１２への固定に用いられる固定部（本実施形態では一対の脚部）７１とを備えている。
【００４８】
水抜き部材７の表面の一部には、直に熱膨張性樹脂組成物層９（図示では把握しやすいようにハッチングで示している。）が形成されている。例えば水抜き部材７（本体部７０）の開口７２を形作る内周面及び固定部７１の表面に熱膨張性樹脂組成物層９が形成されている。なお、「直に」とは、水抜き部材７（本体部７０）の内周面及び固定部７１の表面に、同様に、粘着テープや粘着剤、接着剤などが用いられることなく、熱膨張性樹脂組成物層９が積層されていることを指す。
【００４９】
熱膨張性組成物層９の寸法及び形状、すなわち長さ、幅、厚みは、特に限定されず、水止め部材７の寸法及び形状に応じて適宜設定される。熱膨張性樹脂組成物層９は、水抜き部材７（本体部７０）の内周面及び固定部７１の表面において、その全部に形成されている必要はなく、一部にだけ形成されていてもよい。なお、熱膨張性樹脂組成物層９は、水抜き部材７のその他の部分の表面に形成されていてもよい。
【００５０】
上述した熱膨張性樹脂組成物層９が積層された水抜き部材７が、窓枠１０の下枠１２の水抜き穴に配置されていると、火災時に熱膨張性樹脂組成物層９が熱膨張して、下枠１２の水抜き穴を埋めるので、火炎が当該水抜き穴を通って延焼することを防止でき、良好な防火性能を発揮できる。
【００５１】
なお、水抜き部材７の構成は、特に限定されるものではなく、周知のいずれの形態であってもよい。
【００５２】
次に、キャップ８は、外周枠体２の召合せ框２３内の空洞に埃などが混入したり、当該空洞の結露水が空洞から流出したりしないようにするために、召合せ框２３の上端及び／又は下端の開口に嵌め込まれる。キャップ８は、例えば合成樹脂等からなり、図７に示すように、召合せ框２３の上下の開口に嵌め込まれる角柱状又は角筒状の本体部８０と、本体部８０に一体に設けられる蓋部８１と、蓋部８１の一側縁から垂下する舌片部８２とを備えている。
【００５３】
キャップ８の表面の一部には、直に熱膨張性樹脂組成物層９（図示では把握しやすいようにハッチングで示している。）が形成されている。例えば本体部８０の表面（外周面及び／又は内周面）に熱膨張性樹脂組成物層９が形成されている。なお、「直に」とは、本体部７０の表面に、同様に、粘着テープや粘着剤、接着剤などが用いられることなく、熱膨張性樹脂組成物層９が積層されていることを指す。
【００５４】
熱膨張性組成物層９の寸法及び形状、すなわち長さ、幅、厚みは、特に限定されず、キャップ８の寸法及び形状に応じて適宜設定される。熱膨張性樹脂組成物層９は、本体部８０の表面において、その全部に形成されている必要はなく、一部にだけ形成されていてもよい。なお、熱膨張性樹脂組成物層９は、キャップ８のその他の部分の表面に形成されていてもよい。
【００５５】
上述した熱膨張性樹脂組成物層９が積層されたキャップ８が、召合せ框２３の上端及び／又は下端の開口に配置されていると、火災時に熱膨張性樹脂組成物層９が熱膨張して、召合せ框２３内の空洞を埋めるので、火炎が当該空洞を通って延焼することを防止でき、良好な防火性能を発揮できる。
【００５６】
なお、キャップ８の構成は、特に限定されるものではなく、周知のいずれの形態であってもよい。
【００５７】
次に、サブロック部材１５は、引違い窓１を補助的に施錠するために、下枠１２に形成された取付穴（図示せず）に嵌め込まれる。サブロック部材１５は、例えば金属等からなり、例えば図８に示すように、ロック部１７を有する本体部１６と、本体部１６に一体に設けられ取付穴（図示せず）に挿入されて下枠１２への固定に用いられる固定部１８とを備えている。
【００５８】
サブロック部材１５の表面の一部には、直に熱膨張性樹脂組成物層９（図示では把握しやすいようにハッチングで示している。）が形成されている。例えばサブロック部材１５の取付穴の内周面と対向する面（図示例では、固定部１８の表面）に熱膨張性樹脂組成物層９が形成されている。なお、「直に」とは、サブロック部材１５の固定部１８の表面に、同様に、粘着テープや粘着剤、接着剤などが用いられることなく、熱膨張性樹脂組成物層９が積層されていることを指す。
【００５９】
熱膨張性組成物層９の寸法及び形状、すなわち長さ、幅、厚みは、特に限定されず、サブロック部材１５の寸法及び形状に応じて適宜設定される。熱膨張性樹脂組成物層９は、サブロック部材１５の固定部１８の表面において、その全部に形成されている必要はなく、一部にだけ形成されていてもよい。なお、熱膨張性樹脂組成物層９は、サブロック部材１５のその他の部分の表面に形成されていてもよい。
【００６０】
上述した熱膨張性樹脂組成物層９が積層されたサブロック部材１５が、窓枠１０の下枠１２の取付穴に配置されていると、火災時に熱膨張性樹脂組成物層９が熱膨張して、下枠１２の取付穴を埋めるので、火炎が当該取付穴を通って延焼することを防止でき、良好な防火性能を発揮できる。
【００６１】
なお、サブロック部材１５の構成は、特に限定されるものではなく、周知のいずれの形態であってもよい。
【００６２】
次に、上記した熱膨張性樹脂組成物層９を形成する熱膨張性樹脂組成物について説明する。熱膨張性樹脂組成物は、樹脂成分に、熱膨張性層状無機物と無機充填剤とを含有させたものである。
【００６３】
樹脂成分としては、熱可塑性樹脂、熱硬化性樹脂、ゴム物質、及びそれらの組み合わせが挙げられる。
【００６４】
熱可塑性樹脂としては、例えば、ポリプロピレン系樹脂、ポリエチレン系樹脂、ポリ（１−）ブテン系樹脂、ポリペンテン系樹脂などのポリオレフィン系樹脂、ポリスチレン系樹脂、アクリロニトリル−ブタジエン−スチレン（ＡＢＳ）系樹脂、ポリカーボネート系樹脂、ポリフェニレンエーテル系樹脂、アクリル系樹脂、ポリアミド系樹脂、ポリ塩化ビニル系樹脂、ポリウレタン系樹脂、ポリイソブチレンなどの合成樹脂類が挙げられる。
【００６５】
熱硬化性樹脂としては、例えば、ポリウレタン、ポリイソシアネート、ポリイソシアヌレート、フェノール樹脂、エポキシ樹脂、尿素樹脂、メラミン樹脂、不飽和ポリエステル樹脂、ポリイミドなどが挙げられる。
【００６６】
ゴム物質としては、天然ゴム、イソプレンゴム、ブタジエンゴム、１，２−ポリブタジエンゴム、スチレン−ブタジエンゴム、クロロプレンゴム、ニトリルゴム、ブチルゴム、塩素化ブチルゴム、エチレン−プロピレンゴム、クロロスルホン化ポリエチレン、アクリルゴム、エピクロルヒドリンゴム、多加硫ゴム、非加硫ゴム、シリコンゴム、フッ素ゴム、ウレタンゴムなどのゴム物質などが挙げられる。
【００６７】
これらの合成樹脂類及び／又はゴム物質は、一種もしくは二種以上を使用することができる。これらの合成樹脂類及び／又はゴム物質の中でも、柔軟でゴム的性質を持っているものが好ましい。このような性質を持つものは無機充填剤を高充填することが可能であり、得られる熱膨張性樹脂組成物が柔軟で扱い易いものとなる。より柔軟で扱い易い熱膨張性樹脂組成物を得るためには、ブチルなどの非加硫ゴムやポリエチレン系樹脂が好適に用いられる。さらに、樹脂自体の難燃性を上げて防火性能を向上させるという観点からは、エポキシ樹脂が好ましい。
【００６８】
次に、熱膨張性層状無機物は、加熱時に膨張するものであるが、かかる熱膨張性層状無機物は特に限定されるものではなく、例えば、バーミキュライト、カオリン、マイカ、熱膨張性黒鉛などを挙げることができる。熱膨張性黒鉛は、従来から公知の物質であり、天然鱗状グラファイト、熱分解グラファイト、キッシュグラファイトなどの粉末を、濃硫酸、硝酸、セレン酸などの無機酸と、濃硝酸、過塩素酸、過塩素酸塩、過マンガン酸塩、重クロム酸塩、重クロム酸塩、過酸化水素などの強酸化剤とで処理してグラファイト層間化合物を生成させたものであり、炭素の層状構造を維持したままの結晶化合物の一種である。
【００６９】
上記のように酸処理して得られた熱膨張性黒鉛は、さらにアンモニア、脂肪族低級アミン、アルカリ金属化合物、アルカリ土類金属化合物などで中和したものを使用するのが好ましい。
【００７０】
熱膨張性黒鉛の粒度は、２０メッシュ〜２００メッシュが好ましい。粒度が２００メッシュより小さくなると、黒鉛の膨張度が小さく、十分な膨張断熱層が得られず、また粒度が２０メッシュより大きくなると、黒鉛の膨張度が大きいという利点はあるが、樹脂に配合する際に分散性が悪くなり、物性が低下する。熱膨張性黒鉛の市販品としては、例えば、東ソー社製「ＧＲＥＰ−ＥＧ」、ＧＲＡＦＴＥＣＨ社製「ＧＲＡＦＧＵＡＲＤ」などが挙げられる。
【００７１】
次に、無機充填剤は、膨張断熱層が形成される際、熱容量を増大させ伝熱を抑制するとともに、骨材的に働いて膨張断熱層の強度を向上させるものである。かかる無機充填剤としては特に限定されるものではなく、例えば、アルミナ、酸化亜鉛、酸化チタン、酸化カルシウム、酸化マグネシウム、酸化鉄、酸化錫、酸化アンチモン、フェライト類などの金属酸化物；水酸化カルシウム、水酸化マグネシウム、水酸化アルミニウム、ハイドロタルサイトなどの含水無機物；塩基性炭酸マグネシウム、炭酸カルシウム、炭酸マグネシウム、炭酸亜鉛、炭酸ストロンチウム、炭酸バリウムなどの金属炭酸塩などが挙げられる。
【００７２】
また、無機充填剤としては、上記した他に、硫酸カルシウム、石膏繊維、ケイ酸カルシウムなどのカルシウム塩；シリカ、珪藻土、ドーソナイト、硫酸バリウム、タルク、クレー、マイカ、モンモリロナイト、ベントナイト、活性白土、セピオライト、イモゴライト、セリサイト、ガラス繊維、ガラスビーズ、シリカ系バルン、窒化アルミニウム、窒化ホウ素、窒化ケイ素、カーボンブラック、グラファイト、炭素繊維、炭素バルン、木炭粉末、各種金属粉、チタン酸カリウム、硫酸マグネシウム「ＭＯＳ」（商品名）、チタン酸ジルコン酸鉛、ステアリン酸亜鉛、ステアリン酸カルシウム、アルミニウムボレート、硫化モリブデン、炭化ケイ素、ステンレス繊維、ホウ酸亜鉛、各種磁性粉、スラグ繊維、フライアッシュ、脱水汚泥などが挙げられる。これらの無機充填剤は単独で用いても、２種以上を併用してもよい。
【００７３】
無機充填剤の粒径としては、０．５μｍ〜１００μｍが好ましく、より好ましくは１μｍ〜５０μｍであるが、特に限定されるものではない。無機充填剤は、添加量が少ないときは、分散性が性能を大きく左右するため、粒径の小さいものが好ましいが、０．５μｍ未満になると二次凝集が起こり、分散性が悪くなる。粒径が１００μｍを超えると、成形体の表面性、樹脂組成物の力学的物性が低下する。
【００７４】
なお、無機充填剤としては、例えば、水酸化アルミニウムでは、粒径１８μｍの「ハイジライトＨ−３１」（昭和電工社製）、粒径２５μｍの「Ｂ３２５」（ＡＬＣＯＡ社製）、炭酸カルシウムでは、粒径１．８μｍの「ホワイトンＳＢ赤」（備北粉化工業社製）、粒径８μｍの「ＢＦ３００」（備北粉化工業社製）などが挙げられる。
【００７５】
さらに、熱膨張性樹脂組成物は、膨張断熱層の強度を増加させて防火性能を向上させるために、上述した各成分に加えて、さらにリン化合物を含んでもよい。リン化合物としては、特に限定されず、例えば、赤リン；トリフェニルホスフェート、トリクレジルホスフェート、トリキシレニルホスフェート、クレジルジフェニルホスフェート、キシレニルジフェニルホスフェートなどの各種リン酸エステル；リン酸ナトリウム、リン酸カリウム、リン酸マグネシウムなどのリン酸金属塩；ポリリン酸アンモニウム類；下記化学式（１）で表される化合物などが挙げられる。これらのうち、防火性能の観点から、赤リン、ポリリン酸アンモニウム類、及び、下記化学式（１）で表される化合物が好ましく、性能、安全性、コストなどの点においてポリリン酸アンモニウム類がより好ましい。
【００７６】
【化１】
0006789097.tif 000002
【００７７】
化学式（１）中、Ｒ１及びＲ３は、水素、炭素数１〜１６の直鎖状あるいは分岐状のアルキル基、又は、炭素数６〜１６のアリール基を表す。Ｒ２は、水酸基、炭素数１〜１６の直鎖状あるいは分岐状のアルキル基、炭素数１〜１６の直鎖状あるいは分岐状のアルコキシル基、炭素数６〜１６のアリール基、又は、炭素数６〜１６のアリールオキシ基を表す。
【００７８】
赤リンとしては、市販の赤リンを用いることができるが、耐湿性、混練時に自然発火しないなどの安全性の点から、赤リン粒子の表面を樹脂でコーティングしたものなどが好適に用いられる。ポリリン酸アンモニウム類としては特に限定されず、例えば、ポリリン酸アンモニウム、メラミン変性ポリリン酸アンモニウムなどが挙げられるが、取り扱い性などの点からポリリン酸アンモニウムが好適に用いられる。市販品としては、例えば、クラリアント社製「ＡＰ４２２」、「ＡＰ４６２」、Ｂｕｄｅｎｈｅｉｍ  Ｉｂｅｒｉｃａ社製「ＦＲ  ＣＲＯＳ  ４８４」、「ＦＲ  ＣＲＯＳ  ４８７」などが挙げられる。
【００７９】
化学式（１）で表される化合物としては特に限定されず、例えば、メチルホスホン酸、メチルホスホン酸ジメチル、メチルホスホン酸ジエチル、エチルホスホン酸、プロピルホスホン酸、ブチルホスホン酸、２−メチルプロピルホスホン酸、ｔ−ブチルホスホン酸、２，３−ジメチル−ブチルホスホン酸、オクチルホスホン酸、フェニルホスホン酸、ジオクチルフェニルホスホネート、ジメチルホスフィン酸、メチルエチルホスフィン酸、メチルプロピルホスフィン酸、ジエチルホスフィン酸、ジオクチルホスフィン酸、フェニルホスフィン酸、ジエチルフェニルホスフィン酸、ジフェニルホスフィン酸、ビス（４−メトキシフェニル）ホスフィン酸などが挙げられる。中でも、ｔ−ブチルホスホン酸は、高価ではあるが、高難燃性の点において好ましい。前記のリン化合物は、単独で用いても、２種以上を併用してもよい。
【００８０】
また、熱膨張性樹脂組成物には、その物性を損なわない範囲で、さらにフェノール系、アミン系、イオウ系などの酸化防止剤、金属害防止剤、帯電防止剤、安定剤、架橋剤、滑剤、軟化剤、顔料などが添加されてもよい。また、一般的な難燃剤を添加してもよく、難燃剤による燃焼抑制効果により防火性能を向上させることができる。
【００８１】
熱膨張樹脂組成物は、熱可塑性樹脂やエポキシ樹脂などの樹脂成分１００重量部に対し、熱膨張性層状無機物を１０〜３５０重量部及び無機充填材を５〜４００重量部の範囲で含むものが好ましい。
【００８２】
また、熱膨張性層状無機物及び無機充填剤の合計は、樹脂成分１００重量部に対し、２５重量部〜６００重量部の範囲が好ましい。
【００８３】
かかる熱膨張性樹脂組成物は、加熱によって膨張して耐火性の膨張断熱層を形成する。この配合によれば、熱膨張性樹脂組成物層は火災などの加熱によって膨張し、必要な体積膨張率を得ることができ、膨張後は所定の断熱性能を有するとともに所定の強度を有する残渣を形成することもでき、安定した防火性能を達成することができる。
【００８４】
熱膨張性樹脂組成物における熱膨張性層状無機物及び無機充填材の合計量は、５０重量部以上では燃焼後の残渣量を満足して十分な耐火性能が得られ、６００重量部以下であると機械的物性が維持される。
【００８５】
さらに、熱膨張性樹脂組成物は、必要に応じて、フェノール系、アミン系、イオウ系などの酸化防止剤の他、金属害防止剤、帯電防止剤、安定剤、架橋剤、滑剤、軟化剤、顔料、粘着付与樹脂、成型補助材などの添加剤、ポリブテン、石油樹脂などの粘着付与剤を含むことができる。
【００８６】
上記した熱膨張性樹脂組成物の各成分を、単軸押出機、二軸押出機、バンバリーミキサー、ニーダーミキサー、混練ロール、ライカイ機、遊星式撹拌機、ディスパーなど公知の装置を用いて混練することにより、熱膨張性樹脂組成物を得ることができる。
【００８７】
熱膨張性樹脂組成物は、火災時などの高温にさらされた際に、その膨張断熱層により断熱し、かつその膨張断熱層の強度があるものであれば特に限定されないが、好ましくは、５０ｋＷ／ｍ２の加熱条件下で３０分間加熱した後の体積膨張率が３倍〜５０倍の範囲であり、より好ましくは、体積膨張率が５倍〜４０倍の範囲であり、さらに好ましくは８倍〜３５倍の範囲である。
【００８８】
熱膨張性樹脂組成物層９は、例えば、熱可塑性樹脂をバインダーとして熱膨張性黒鉛及び無機充填剤を少なくとも配合してなる樹脂組成物を、溶融して流動化させた後、所定の金型を用いた射出成形により構成部品の所望の面に供給し、これを固化して構成部品と一体化することで、構成部品の所望の面に直に形成することができる。
【００８９】
上述した建具枠体用の部品３〜８を用いた建具枠体（窓枠１０や外周枠体２）では、建具枠体を構成する構成部品が熱膨張性樹脂組成物層９を有しているので、一般の建具枠体に簡便にさらなる防火性能を付与することができる。よって、防火地域などで使用することができる。また、建具枠体用の部品３〜８に熱膨張性樹脂組成物層９を、熱可塑性樹脂組成物を射出成形により供給することで、直に形成しているので、シート状の熱膨張性耐火材を粘着テープなどを用いて建具枠体用の部品３〜８に貼り付ける場合と比べて、正確にかつ簡易に熱膨張性樹脂組成物層９を各建具枠体用の部品３〜８に形成することができるので、建具枠体に確実な防火性能を具備させることができるうえ、コスト及び手間の低減を図ることができる。
【００９０】
以上、本発明の一実施形態について説明したが、本発明は上記実施形態に限定されるものではなく、本発明の趣旨を逸脱しない限りにおいて種々の変更が可能である。例えば、上記実施形態では、建具枠体用の部品の例として、風止め部材３、クレセント４、戸車５、振れ止め部材６、水抜き部材７、キャップ８及びサブロック部材１５を示しているが、その他にも、建具枠体（窓枠１０及び外周枠体２）の各枠１１〜１４及び各框２１〜２４に取り付けられている構成部品の表面（外側面、内側面を問わない）の一部に熱膨張性樹脂組成物層９を形成することができる。
【００９１】
また、上記実施形態では、建具枠体として、引違い窓の枠体（サッシ）を例にして説明しているが、例えば図９や図１０に示すような縦すべり出し窓１´の枠体（サッシ）など、様々な種類の窓の枠体（サッシ）に対して本発明を適用することができる。例えば図９や図１０に示す縦すべり出し窓１´の枠体（サッシ）には、縦すべり出し窓１´に各種の機能性を付与する複数の構成部品として、カムラッチハンドルやグレモンハンドル等のハンドル２５やオペレータハンドル２６等が設けられているが、各構成部品の表面（外側面、内側面を問わない）の一部、例えば、ハンドル２５やオペレータハンドル２６では、これらを構成する部材の外側面の他、内部に空洞を有する部材であれば内側面の少なくとも一部に、熱膨張性樹脂組成物層９を形成することができる。
【００９２】
さらに、本発明は、様々な種類の扉の枠体の構成部品に対しても適用することができる。
【００９３】
１    引違い窓（建具）
１´  縦すべり出し窓（建具）
２    外周枠体（建具枠体）
３    風止め部材（建具枠体用の部品）
４    クレセント（建具枠体用の部品）
５    戸車（建具枠体用の部品）
６    振れ止め部材（建具枠体用の部品）
７    水抜き部材（建具枠体用の部品）
８    キャップ（建具枠体用の部品）
９    熱膨張性樹脂組成物層
１０  窓枠（建具枠体）
１１  上枠
１２  下枠
１３，１４  縦枠
１５  サブロック部材（建具枠体用の部品）
２０  窓
２１  上框
２２  下框
２３  召合せ框
２４  戸先框
【図１】
0006789097.tif 000003
【図２】
0006789097.tif 000004
【図３】
0006789097.tif 000005
【図４】
0006789097.tif 000006
【図５】
0006789097.tif 000007
【図６】
0006789097.tif 000008
【図７】
0006789097.tif 000009
【図８】
0006789097.tif 000010
【図９】
0006789097.tif 000011
【図１０】
0006789097.tif 000012